(57)【要約】      （修正有）【課題】ソーラーパネル下で植物の栽培ができ且つ効率良く太陽光発電を行えるソーラーパネルを備えた栽培ハウスを提供する。【解決手段】植物が栽培可能となる高さに裏面に反射板を設けた複数のソーラーパネル１を支持する支持体２と、支持体２間に中心軸線が東西方向となるように架設した緯線軸３と、緯線軸３に中心軸線を直交差させて両軸を軸回転可能とした直交接続金具５を介して接続した経線軸４を備え、該経線軸４に固定したソーラーパネル１を密接状態に配設して屋根面を形成し、緯線軸３を中心として経線軸４を回転させる第１の回動機構６及びその回動機構６の回転操作を行う第１の回動操作手段７と、経線軸４を軸回転させる第２の回動機構８及びその回動機構８の回動操作を行う第２の回動操作手段９とを連設したことを特徴とする。【選択図】図３
0003189168.tif 000002
【実用新案登録請求の範囲】
【請求項１】
植物が栽培可能となる高さに裏面に反射板を設けた複数のソーラーパネルを支持する支持体と、該支持体間に中心軸線が東西方向となるように架設した緯線軸と、該緯線軸に中心軸線を直交差させて両軸を軸回転可能とした直交接続金具を介して接続した経線軸とを備え、該経線軸に固定した各ソーラーパネルを密接状態に配設して屋根面を形成し、
前記緯線軸を中心として前記経線軸を回転させる第１の回動機構及びその第１の回動機構の回転操作を行う第１の回動操作手段と、前記経線軸を軸回転させる第２の回動機構及びその第２の回動機構の回動操作を行う第２の回動操作手段とを連設したことを特徴とするソーラーパネルを備えた栽培ハウス。
【請求項２】
請求項１に記載のソーラーパネルを備えた栽培ハウスにおいて、
緯線軸の各ソーラーパネル回動を妨害しない位置に照明具を下方に向けて設けたことを特徴とするソーラーパネルを備えた栽培ハウス。
【請求項３】
請求項１又は２に記載のソーラーパネルを備えた栽培ハウスにおいて、
第１の回動機構が、直交接続金具の緯線軸側のクランプ部と前記緯線軸との間に経線軸を回転可能とする回転軸受け部を設けたことを特徴とするソーラーパネルを備えた栽培ハウス。
【請求項４】
請求項１から３のうちいずれかに記載のソーラーパネルを備えた栽培ハウスにおいて、
第２の回動機構が、直交接続金具の経線軸側のクランプ部と経線軸との間に経線軸の軸回転を可能とする回転軸受け部を設けたことを特徴とするソーラーパネルを備えた栽培ハウス。
【請求項５】
請求項１から４のうちいずれかに記載のソーラーパネルを備えた栽培ハウスにおいて、
経線軸を直交接続金具寄り部位で大径の筒体と該筒体に嵌合する小径の筒体とに分割すると共に、小径の筒体端部に設けた一対が直径方向に対称に形成したクランク溝に大径の筒体内の直径方向に架設した係止ピンが嵌って一方向に回転させることで引き抜き不能に連結され、逆方向に回転させて前記係止ピンをクランク溝から抜くことで離脱されることを特徴とするソーラーパネルを備えた栽培ハウス。
【請求項６】
請求項１から５のうちいずれかに記載のソーラーパネルを備えた栽培ハウスにおいて、
第１の回動機構が、経線軸の先端部又は先端部寄りに基端部を繋いだワイヤーと、そのワイヤーをソーラーパネルの下方へ導く滑車とを備え、該ワイヤーの先端側を引くことでソーラーパネルを遠隔位置で回動操作を可能としたことを特徴とするソーラーパネルを備えた栽培ハウス。
【請求項７】
請求項１から６のうちいずれかに記載のソーラーパネルを備えた栽培ハウスにおいて、
第２の回動機構が、ソーラーパネルの側部又はソーラーパネルと平行に設けた側方突出体の先端部に基端部を繋いだワイヤー及びそのワイヤーをソーラーパネルの下方へ導く滑車とを備え、該ワイヤーの先端側を引くことでソーラーパネルを遠隔位置で回動操作を可能としたことを特徴とするソーラーパネルを備えた栽培ハウス。
【請求項８】
請求項１から７のうちいずれかに記載のソーラーパネルを備えた栽培ハウスにおいて、
第１の回動操作手段におけるワイヤーの遠隔操作が、ワイヤーを巻いた巻送りドタムのハンドルの回転で該ワイヤーを前記巻送りドラムに巻いてワイヤーの一方を引き、他方を緩めることでソーラーパネルの回動操作を可能としたことを特徴とするソーラーパネルを備えた栽培ハウス。
【請求項９】
請求項１から７のうちいずれかに記載のソーラーパネルを備えた栽培ハウスにおいて、
第２の回動操作手段におけるワイヤーの遠隔操作が、ワイヤーを巻いた巻送りドラムのモータによる回転でワイヤーを巻送りドラムに巻いてワイヤーの一方を引き、他方を緩めることでソーラーパネルの回動操作を可能としたことを特徴とするソーラーパネルを備えた栽培ハウス。
【考案の詳細な説明】
【技術分野】
【０００１】
本考案は太陽光を受けてソーラーパネルで発電すると共にその下で植物の栽培を行うソーラーパネルを備えた栽培ハウスに関する。
【背景技術】
【０００２】
土地を有効利用するために農地にソーラーパネルを設置すれば、ソーラーパネルでの発電を行いつつ農地での園芸植物や農作物等の植物の栽培も同時に行うことができる。
このような栽培装置に関連して下記特許文献１及び特許文献２にはソーラーパネルの下で植物の栽培を行うことが提案されているが、栽培する植物の上方がソーラーパネルで遮られて栽培に必要な太陽光が充分には得られなくなるためソーラーパネル下が栽培には不適な環境となってしまう。
この対策として上記特許文献１の装置では太陽電池パネルにシースルータイプを用い、太陽光線を透過させることでパネルの下の植物まで光が届くように工夫している。
一方、露地栽培では夜間では温度が低下し、冬場では霜の発生で栽培植物を枯らしてしまうことがある。
【先行技術文献】
【特許文献】
【０００３】
【特許文献１】特開２０１３−２１４６４４号公報
【特許文献２】実用新案登録第３１８３３３０号公報
【考案の概要】
【考案が解決しようとする課題】
【０００４】
太陽光で発電するソーラーパネルは、板面が太陽の方向に対して垂直である場合に最も発電効率が良くなるが、通常上記特許文献１の如くソーラーパネルの向きは一日のうちで太陽の照射角度が最も高くなる方向に板面が固定されるため、朝夕の太陽光線がソーラーパネルに対して斜めに当たるので発電効率が大幅に低下してしまうという問題が生じる。
本考案は上記の如き問題を解決するため、ソーラーパネルの板面を向日葵の如く太陽を追って移動させることでソーラーパネルの発電効率を高め、昼間はソーラーパネルの下側に太陽光を入れ、夜間はソーラーパネルで植物の上方空間を覆って冷害、霜害、風害を防止し良好な植物の栽培が可能となるソーラーパネルを備えた栽培ハウスを提供することを目的とする。
【課題を解決するための手段】
【０００５】
上記課題を解決するために、本考案のソーラーパネルを備えた栽培ハウスの請求項１に記載の考案は、植物が栽培可能となる高さに裏面に反射板を設けた複数のソーラーパネルを支持する支持体と、該支持体間に中心軸線が東西方向となるように架設した緯線軸と、該緯線軸に中心軸線を直交差させて両軸を軸回転可能とした直交接続金具を介して接続した経線軸とを備え、該経線軸に固定した各ソーラーパネルを密接状態に配設して屋根面を形成し、前記緯線軸を中心として前記経線軸を回転させる第１の回動機構及びその第１の回動機構の回転操作を行う第１の回動操作手段と、前記経線軸を軸回転させる第２の回動機構及びその第２の回動機構の回動操作を行う第２の回動操作手段とを連設したことを特徴とする。
【０００６】
請求項２に記載の考案は、上記考案において、前記緯線軸の各ソーラーパネル回動を妨害しない位置に照明具を下方に向けて設けたことを特徴とする。
【０００７】
請求項３に記載の考案は、上記考案において、前記第１の回動機構が、前記直交接続金具の緯線軸側のクランプ部と前記緯線軸との間に経線軸を回転可能とする回転軸受け部を設けたことを特徴とする。
【０００８】
請求項４に記載の考案は、上記考案において、前記第２の回動機構が、前記直交接続金具の経線軸側のクランプ部と経線軸との間に経線軸の軸回転を可能とする回転軸受け部を設けたことを特徴とする。
【０００９】
請求項５に記載の考案は、上記考案において、前記経線軸を前記直交接続金具寄り部位で大径の筒体と該筒体に嵌合する小径の筒体とに分割すると共に、小径の筒体端部に設けた一対が直径方向に対称に形成したクランク溝に大径の筒体内の直径方向に架設した係止ピンが嵌って一方向に回転させることで引き抜き不能に連結され、逆方向に回転させて前記係止ピンをクランク溝から抜くことで離脱されることを特徴とする。
【００１０】
請求項６に記載の考案は、上記考案において、前記第１の回動機構が、前記経線軸の先端部又は先端部寄りに基端部を繋いだワイヤーと、そのワイヤーをソーラーパネルの下方へ導く滑車とを備え、該ワイヤーの先端側を引くことでソーラーパネルを遠隔位置で回動操作を可能としたことを特徴とする。
【００１１】
請求項７に記載の考案は、上記考案において、前記第２の回動機構が、前記ソーラーパネルの側部又はソーラーパネルと平行に設けた側方突出体の先端部に基端部を繋いだワイヤーと、そのワイヤーをソーラーパネルの下方へ導く滑車とを備え、該ワイヤーの先端側を引くことでソーラーパネルを遠隔位置で回動操作を可能としたことを特徴とする。
【００１２】
請求項８に記載の考案は、上記考案において、前記第１の回動操作手段におけるワイヤーの遠隔操作が、ワイヤーを巻いた巻送りドラムのハンドルの回転で該ワイヤーを前記巻送りドラムに巻いてワイヤーの一方を引き、他方を緩めることでソーラーパネルの回動操作を可能としたことを特徴とする。
【００１３】
請求項９に記載の考案は、上記考案において、第２の回動操作手段におけるワイヤーの遠隔操作が、ワイヤーを巻いた巻送り軸のモータによる回転でワイヤーを巻送ドラムに巻いてワイヤーの一方を引き、他方を緩めることでソーラーパネルの回動操作を可能としたことを特徴とする。
【考案の効果】
【００１４】
上記の如き構成とした本考案は、支持体に支えられた上側の各ソーラーパネルでは太陽光発電を行い、且つ該ソーラーパネルの下方の空間では植物の栽培を行うことが可能となる。
その際、上側のソーラーパネルは、緯線軸と緯線軸とが直交接続金具で連結され、第１の回動機構によって中心軸線を東西方向にした緯線軸の回動が可能となり、又第２の回動機構によって中心軸線を南北方向とした経線軸の軸回転が可能となり、且つ第１の回動操作手段と第２の回動操作手段とによって太陽の移動に合わせて各ソーラーパネルの板面を太陽の方向に向ける操作と、各ソーラーパネルを水平にする操作とが可能となる。
この結果、各ソーラーパネルの板面を太陽の方向と垂直に太陽の移動に合わせて操作することで最大効率の太陽光発電が行えるようになる。
【００１５】
又、その回動操作によって、昼間はソーラーパネルを傾斜させてできた隙間からソーラーパネルの下側に太陽光を入れ、夜間は前記各ソーラーパネルを水平にすることで前記ソーラーパネル同士が近接して各ソーラーパネル全体でその上側の空間と下側のハウス内の空間を遮断する屋根面を形成することが可能となる。そして、その屋根面によって、ソーラーパネル下の栽培植物を冷害、霜害、風害から守り、植物を良好に生育させることが可能となる。
そして、該ソーラーパネルの裏面には反射板が設けられているので、昼間は板面を太陽の方向に向けたソーラーパネルに太陽の直射日光がソーラーパネルの平滑なモジュール面に当たって反射され、その反射光がソーラーパネルの裏面の反射板に当たって、再度反射されて各ソーラーパネルの下にある植物に照射される。この結果、その植物の光合成が活発に行われて良好な生育が可能となる。
又、後述の照明具を設けた形態では照明光が水平としたソーラーパネル裏面の反射板に当たって反射され、照明具の光が効率良くソーラーパネルの下方にある植物に照射可能となる。
【００１６】
請求項２に記載の考案においては、夜間にもソーラーパネルの下方にある植物に照明具からの光が照射できるので、昼間の太陽による日照時間に夜間の照明具による照明を加えたより多くの日照量を植物に与えて、植物をより良好に栽培することが可能となる。
【００１７】
請求項３に記載の考案においては、直交接続金具の緯線軸側のクランプ部と前記緯線軸との間に回転軸受け部を設けた第１の回動機構によって、経線軸の南北方向の円滑な回動が可能となり、太陽の水平線からの高さに応じてソーラーパネルを傾斜させる操作が容易となる。
【００１８】
請求項４に記載の考案においては、直交接続金具の経線軸側のクランプ部と前記経緯線軸との間に回転軸受け部を設けた第２の回動機構によって、経線軸の東西方向の円滑な軸回転が可能となり、太陽の移動方向に応じてソーラーパネルを傾斜させる操作が容易となる。
【００１９】
請求項５に記載の考案においては、ソーラーパネルを固定した経線軸が、大径の筒体と該筒体に嵌合する小径の筒体とに分割され、小径の筒体端部に設けたクランク溝に大径の筒体内の係止ピンを差し込み、屈曲部に突き当たったら一方に回転させることで容易に係止ピンがクランク溝内に係止される。
この結果、一部のソーラーパネルに不具合があってもそのパネルのみを独立させて着脱交換することが可能となり、且つその交換作業は専用工具などを使用せずに大径の筒体を回転させ、小径の筒体のクランク溝から大径の筒体の係止ピンを外すという極めて簡単な作業で容易に行うことが可能となる。
【００２０】
請求項６に記載の考案においては、ソーラーパネルの南北方向の回動を、ワイヤーを長く延ばした遠隔場所からソーラーパネルを固定した経線軸に繋いだワイヤーを引くという簡単な作業によって容易に操作することが可能となる。
【００２１】
請求項７に記載の考案においては、ソーラーパネルの東西方向の回動を、ワイヤーを長く延ばした遠隔場所からソーラーパネルの側部又はソーラーパネルと平行に設けた側方突出体の先端部に繋いだワイヤーを引くという簡単な作業によって容易に操作することが可能となる。
【００２２】
請求項８に記載の考案においては、第１の回動機構及び第２の回動機構によるソーラーパネルの回動操作が、ワイヤーを巻いた巻送りドラムのハンドルの回転作業によって容易に行うことが可能となる。
【００２３】
請求項９に記載の考案においては、第１の回動機構及び第２の回動機構によるソーラーパネルの回動操作が、ワイヤーを巻いた巻送りドラムのモータによる電動回転で行うことが可能となり、ワイヤーの巻送り操作に要する労力が大幅に軽減される。
又、モータに光センサーと回動制御部を接続することでソーラーパネルの回動操作の自動化が可能となる。
【図面の簡単な説明】
【００２４】
【図１】本考案の第１及び第２の回動機構及び第１及び第２の回動操作手段を除いた状態を示す全体の斜視図である。
【図２】第１及び第２の回動機構および第１及び第２の回動操作手段を示す斜視図である。
【図３】手動のハンドルによりワイヤーを引き送り操作する形態を示す斜視図である。
【図４】緯線軸を中心としたソーラーパネルの南北方向の回動を示す縦断側面面図である。
【図５】経線軸を中心としたソーラーパネルの東西方向の回動を示す縦断側面面図である。
【図６】モータによりワイヤーを引き送り操作する形態を示す斜視図である。
【図７】緯線軸と経線軸との交差連結部分を示す斜視図である。
【図８】緯線軸と経線軸との交差連結部分を示す斜視図である。
【図９】経線軸へソーラーパネルを固定する固定部の態様を示し、（イ）はクランプで固定する態様、（ロ）はパネル枠の外部からＵ字ボルトで固定する態様、（ハ）はパネル下においてＵ字ボルトで固定する態様を示す各斜視図である。
【図１０】ソーラーパネルの板面を太陽の方向に傾斜させた状態を示す縦断側面図である。
【図１１】ソーラーパネルの板面を水平にした状態を示す縦断側面図である。
【図１２】照明具を備えた形態のソーラーパネルの板面を水平にした状態を示す縦断側面図である。
【考案を実施するための形態】
【００２５】
本考案のソーラーパネルを備えた栽培ハウスをその実施例を示す図を基に以下説明する。
本考案は、図１０に示すように、複数のソーラーパネル１の下方で植物Ｐを栽培するハウスであり、植物Pを生育させるために下方に該植物Ｐが栽培可能となる高さに両側から複数のソーラーパネル１を支持する支持体２を設けてその上部にソーラーパネル１を設置する。
該支持体２は、１枚の重量が数十キログラムあるソーラーパネル１を支えるものなので、その重量に応じた強度が必要である。
又該支持体２が倒れないように、例えば、厚さ３ｍｍで直径５０ｍｍ長さ４ｍの足場用の鉄パイプを地中に１．５ｍ程突き刺して直立させ、更に図１及び図３に示すように、該支持体２に鉄製の横支持パイプ４６を交差クランプ４７を介して固定する。
該横支持パイプ４６は、植物の栽培作業に邪魔にならないように上寄りと地面寄りに設けて該支持体２が揺れないように効率良く配して強く支持させる。
【００２６】
そして、図１に示すように、該支持体２間に、中心軸線Ｘが東西方向となるように鉄パイプ製の緯線軸３を架設する。
図３では緯線軸３の端部が横支持パイプ４６上に３本連結用の接続金具で固定された状態を示しているが、２本連結用の接続金具を２個用いて３方向のパイプを連結させても良い。
そして、該支持体２間に水平に固定された該緯線軸３に対して、中心軸線Ｙが直交差するように該緯線軸３に直交接続金具５を介して鉄パイプ製の経線軸４を中央で連結する。
前記経線軸４は厚さ３ｍｍ、直径５０ｍｍ、長さ１．８ｍの足場用の鉄パイプを用いることができる。その場合には、前記直交接続金具５は、足場を直交差させて連結させるための足場連結用直交クランプと呼ばれる直交接続金具５を用いることが可能となる。
【００２７】
該直交接続金具５を用いる場合、直交差した部分は、図７及び図８に示すように、該緯線軸３に経線軸４の中央部を交差させ、該直交接続金具５の緯線軸側のクランプ部５ａに緯線軸３をクランプさせ、又経線軸側のクランプ部５ｂに経線軸４をクランプさせることで緯線軸３と経線軸４を直交差させた状態に固定することができる。
【００２８】
前記緯線軸３と前記直交接続金具５のクランプ部５ａとの取付けは、図７に示すように、緯線軸３に回転軸受け部１２を装着し、前記クランプ部５ａの枢支部２３を開いて、該回転軸受け部１２を前記直交接続金具５の上側のクランプ部５ａ内に挟み、該クランプ５ａの一方のクランプ先端に形成した凹部４３に対して他方のクランプ先端に基部が枢支ピン４５で枢支されたボルト４２の先端側を差し入れ、そのままボルト４２に螺着されたナット２３を強く締め付ける。
【００２９】
こうして、回転軸受け部１２を介して前記緯線軸３に前記直交接続金具５の上側のクランプ部５ａが回転可能に連結される。
図７では、前記回転軸受け部１２内部にグリース等の潤滑油を塗って内部の緯線軸３との摩擦抵抗を少なくし、緯線軸３に対して回転フリーとなるスベリ軸受け管１２ｂを装着した態様を示しているが、図８に示すように、ベアリング軸受け１２ａを用いるともできる。
前記スベリ軸受け管１２ｂやベアリング軸受け１２ａを用いるのは前記緯線軸３に対して前記直交接続金具５が摩擦抵抗の少ない円滑に回転可能とするためである。
【００３０】
又前記直交接続金具５に対して前記経線軸４は、図７及び図８に示すように、前記直交接続金具５の前記クランプ部５ａと直交差した下側のクランプ部５ｂに取り付ける。
該クランプ部５ｂと経線軸４との間にも摩擦抵抗を少なくするため、図７では経線軸４にスベリ軸受け管１３ｃを装着し、図８では、該スベリ軸受け管１３ａを装着した態様を示している。
【００３１】
前記直交接続金具５の前記クランプ部５ｂに対する前記経線軸４の取付けは、図７に示すように、上側のクランプ部５ａと同様に枢支部で上下に開閉するクランプを開いて、経線軸４に装着したスベリ軸受け管１３ｃを挟んでボルト２４を凹部２５に入れ、螺着してあるナット２６を締め付けて固定し、前記直交接続金具５の下側のクランプ部５ｂに回転軸受け部１３ｃを介して前記経線軸４が回転可能に連結される。
【００３２】
又、図８に示す態様は、経線軸４の中央に幅の細い固定管１３ｂを固着し、その両側に経線軸４に対して回転フリーとなる回転軸受け管１３ａを装着し、該回転軸受け管１３ａを前記直交接続金具５の前記クランプ部５ｂに固定することで経線軸４の前記クランプ部５ｂに対するフリー回転が確保でき、且つ回転軸受け管１３ａに挟まれた固定管１３ｂにより経線軸４が軸方向に移動するのが防止可能となる。
なお、前記回転軸受け部１２、１３は円滑な回転を得るためのものなので、ベアリング軸受けやスベリ軸受けのいずれでも使用が可能である。
【００３３】
そして、図２及び図３に示すように、経線軸４には板面を上に向けて該経線軸４と平行に縦横８０ｃｍの正方形のソーラーパネル１を固定する。
該ソーラーパネル１の経線軸４への固定については、パネルの枠部分の形態に応じて各種取り付け方法が可能である。
例えば、図９の（イ）に示すようにクランプ２７で固定する方法、図９の（ロ）及び（ハ）に示すように、Ｕ字ボルト３３、３７で固定する方法などが可能である。
【００３４】
前記図９の（イ）に示すクランプ２７で固定する方法については、前記ソーラーパネル１を挟んで両側に対向させて設けたクランプ２７で固定することができる。
この場合、上側のクランプ２７ａと下側のクランプ２７ｂで経線軸４を挟んで凹部２９に差し込んだボルト２８をナット３０で締め付けて固定し、クランプ上部に固着した板状の連結部３１ｂに直立させた取付けプレート３１にパネル枠３２をネジ止め等で取り付ける。
【００３５】
前記Ｕ字ボルトで固定する方法については、前記ソーラーパネル１の両側で前記図９の（ロ）に示す前記ソーラーパネル１を挟んで外部で固定する方法と、前記図９の（ハ）に示す前記ソーラーパネル１の両側の枠部分をパネルの下側で固定する方法とがある。
外部で固定する方法については、図９の（ロ）に示すように、前記ソーラーパネル１の両側に経線軸４にパネル枠３６をＵ字ボルト３３と押圧部３４で挟んでナット３５を締め付けて固定することができる。
又、外部で固定する方法については、図９の（ハ）に示すように、経線軸４をＵ字ボルト３７と押えプレート４０で挟んでナット３８で押えプレート３９を締め付けて固定することができる。
【００３６】
前記ソーラーパネル１は、図２及び図３に示すように、バランスを保つため、経線軸４の中心を直交接続金具５で受けて、緯線軸３の上側に両側に同じサイズの２枚を対称となるように水平に固定する。
なお、図３は、手前コーナー部分のソーラーパネル１を外してソーラーパネル１の下の経線軸４が見えるように表した図である。
この図３に示すように、前記ソーラーパネル１の２枚が緯線軸３の両側に配着され、これを１セットとし、土地の広さに応じて、図１に示すように、前記緯線軸３に等間隔で多数配設する。
【００３７】
前記各ソーラーパネル１は、前記各ソーラーパネル１を水平にした際には、図１及び図１１に示すように、前記ソーラーパネル１同士が近接して各ソーラーパネル１全体でその上側の空間と下側のハウス内の空間を遮断して屋根面が形成されるように配設する。
なお、各図ではハウスを覆う壁面のシート等を外した状態を示している。
又、図１及び図３には各ソーラーパネル１間に隙間の存在が示されているが、この隙間は可動される前記各ソーラーパネル１同士が接触して破損するのを防止するために設けたもので、この隙間からの空気や雨水の進入を完全に防止しようとするものではない。
【００３８】
本考案では、前記緯線軸３を中心として前記経線軸４を回動させる第１の回動機構６及びその回動機構６の回動操作を行う第１の回動操作手段７と、前記経線軸４を軸回転させる第２の回動機構８及びその回動機構８の回転操作を行う第２の回動操作手段９を備える。
【００３９】
その内、前記第１の回動機構６は、図２、図３及び図４に示すように、直交接続金具５の緯線軸３側のクランプ部５ａと前記緯線軸３との間に装着した回転軸受け部１２で前記経線軸４は円滑な回動が可能とし、且つ該経線軸４の両先端部４ｃにワイヤー１６を接続して該ワイヤーを緯線軸３を中心とする円周方向に引くことで前記経線軸４を回転できる構造が可能である。
【００４０】
そして、前記第１の回動機構６の回動操作を行う第１の回動操作手段７は、図２及び図３に示すように、該支持体２の下部に水平に架設した滑車固定パイプ４９に、前記各ソーラーパネル１の１セット毎にその下部にダブル滑車１７を固設し、前記第１の回動機構６の各ワイヤー１６、１６を前記ダブル滑車１７の両滑車１７ａ、１７ｂにそれぞれ掛ける。
【００４１】
前記緯線軸３の端部に一番近い位置のソーラーパネル１の１セットに設けた両側のワイヤー１６は１本に形成し、その中間が前記緯線軸３の端部まで導き、前記支持体２に固設した取付基盤４８に設けた巻送りドラム２０に数回巻き付ける。
前記巻送りドラム２０の回転については、図３に示すように、ハンドル２１で手動式に回転させるタイプと、図６に示すように、モータ２２で電動回転させるタイプの稼動形態が可能である。
前記ハンドル２１又はモータ２２で前記巻送りドラム２０を回転させることで両側のワイヤー１６、１６の一方が引かれると他方が送られることで、前記ダブル滑車１７の両滑車１７ａ、１７ｂに掛けられた各ワイヤー１６、１６の先に固定された前記経線軸４が回動し、前記巻送りドラム２０の正逆回転で前記経線軸４は上下に往復回動されることとなる。
【００４２】
なお、前記巻送りドラム２０の回転を前記モータ２２による電動回転する場合には、太陽光の方向を感知する光センサーを設けて該光センサーで感知した光の方向に稼動するようにモータ２２でソーラーパネル１に向きを制御する自動運転機能を設けることも可能である。
又、ハンドル２１による前記巻送りドラム２０の回転では、ハンドル２１を着脱式とし。電動ドリルなどの電動回転工具の回転駆動部を回転軸に接続して前記巻送りドラム２０を回転させることも可能である。
【００４３】
前記緯線軸３の端部に一番近い位置のソーラーパネル１の１セットの他のセットも、前記緯線軸３の端部に一番近い位置のソーラーパネル１の１セットと同様に各々前記巻送りドラム２０を設けてワイヤー１６の牽引が可能であるが、ソーラーパネル１の板面を太陽に向ける緯線軸３の傾斜角度はタイミングが同じであるので、図２及び図４に示すように、前記緯線軸３の端部に一番近い位置のソーラーパネル１の１セットのワイヤー１６にセット毎の各ワイヤー１６の前記ダブル滑車１７の両滑車１７ａ、１７ｂに掛けられて通過した端部を繋ぐことで途中から１本のワイヤー１６で滑車固定パイプ４９上の同列を一緒に１箇所で遠隔操作することが可能となる。
【００４４】
なお、前記第１の回動機構６及び第１の回動操作手段７は上記の如く前記緯線軸３を中心として前記経線軸４を回動させる機構及びその機構の回動操作を行う手段であり、上記形態に限定するものではなく、図示しないが次の如き態様が可能である。
例えば、前記第１の回動機構としては、各ソーラーパネル１を繋ぐ各直交接続金具５の緯線軸３側を全て固定し、前記緯線軸３の両端側を一定の高さで支持する支持体２上の支持部分に回動可能に軸受けする機構が可能である。
この態様の機構では、前記緯線軸３両側の軸受け部分のうち一方側に回転操作を行う第１の回動操作手段を設けることで、前記１本の緯線軸３上の全ソーラーパネル１を同じ方向で同じ角度の傾斜に同時に回動操作することが可能となる。
この態様の第１の回動操作手段としては、減速ギヤー等の回転伝達部を介して緯線軸３の回動をさせる手動式のハンドルや電動式のモータの使用が可能であり、上記形態と異なりワイヤーを全く使用しないで回動操作を行うこが可能となる。
【００４５】
次に前記経線軸４を軸回転させる第２の回動機構８及びその回動機構８の回転操作を行う第２の回動操作手段９を説明する。
前記第２の回動機構８は、図２、図３及び図５に示すように、前記直交接続金具５の経線軸４側のクランプ部５ｂと前記経線軸４との間に装着した回転軸受け部１３で前記経線軸４は円滑な軸回転が可能とし、且つ前記ソーラーパネル１の側枠部１a又はソーラーパネル１と平行に設けた側方突出体（図省略）の先端部にワイヤー１８を接続する。そして、該ワイヤー１８を経線軸４を中心とする円周方向に引くことで前記経線軸４の軸回転可能とする。
【００４６】
そして、前記経線軸４を軸回転させる第２の回動機構８の回転操作を行うための第２の回動操作手段９を備える。
該第２の操作手段９は、図２及び図３に示すように、該支持体２の下部に水平に架設した滑車固定パイプ４９に、前記各ソーラーパネル１の１セット毎にその下部にダブル滑車１９を固設し、前記第１の回動機構８の各ワイヤー１８、１８を前記ダブル滑車１９の両滑車１９ａ、１９ｂにそれぞれ掛ける。
各ワイヤー１８、１８を前記ソーラーパネル１の側枠部１aに繋ぐ際、前記経線軸４の両側のソーラーパネル１を同時に操作するため、前記直交接続金具５側で接続する場合には図２に示すように、各ワイヤー１８の一方側を引き且つ他方側を送り出してソーラーパネル１を東西方向へ回動させたとき緯線軸３がワイヤー１８に当たるのを避けるため、１本のワイヤー１８を該緯線軸３が回動可能な長さにＹ字型に分岐させる。
【００４７】
前記緯線軸３の端部に一番近い位置のソーラーパネル１の１セットに設けた両側のワイヤー１８は１本に形成し、その中間が前記緯線軸３の端部まで導き、前記支持体２に固設した取付基盤４８に設けた巻送りドラム２０に数回巻き付ける。
前記巻送りドラム２０の回転については、前記第１の回動操作手段７と同様に、図３に示すように、ハンドル２１で手動式に回転させるタイプと、図６に示すように、モータ２２で電動回転させるタイプの稼動形態が可能である。
前記ハンドル２１又はモータ２２で前記巻送りドラム２０を回転させることで両側のワイヤー１８、１８の一方が引かれると他方が送られることで、前記ダブル滑車１９の両滑車１９ａ、１９ｂに掛けられた各ワイヤー１８、１８の先に固定されたソーラーパネル１が回動し、前記巻送りドラム２０の正逆回転で前記ソーラーパネル１は東西方向で上下に往復回動されることとなる。
【００４８】
前記緯線軸３の端部に一番近い位置のソーラーパネル１の１セットの他のセットも、前記緯線軸３の端部に一番近い位置のソーラーパネル１の１セットと同様に各々前記巻送りドラム２０を設けてワイヤー１８の牽引が可能であるが、太陽に向けるソーラーパネル１の傾斜角度はタイミングが同じであるので、図２及び図５に示すように、前記緯線軸３の端部に一番近い位置のソーラーパネル１の１セットのワイヤー１８にセット毎の各ワイヤー１８の前記ダブル滑車１９の両滑車１９ａ、１９ｂに掛けられて通過した端部を繋ぐことで途中から１本のワイヤー１８で滑車固定パイプ４９上の同列を一緒に１箇所で遠隔操作することが可能となる。
【００４９】
以上で太陽光の方向に向けて各ソーラーパネル１の板面が傾斜できる仕組みを説明したが、使用してソーラーパネル１が故障した場合については、故障したソーラーパネル１だけを交換できるようにすることができる。
例えば、図８に示すように、前記経線軸４をソーラーパネル１を固定し大径の筒体４ａと該筒体に嵌合可能な小径の筒体４ｂとに分割し、小径の筒体４ｂの筒体端部に設けたクランク溝１４が大径の筒体内の直径方向に貫通固定させた係止ピン１５に嵌って着脱可能とする形態が可能である。
この形態では故障したソーラーパネル１が固定されている大径の筒体４ａを回転させクランク溝１４から係止ピン１５を外せば、故障したソーラーパネル１が簡単に外せるので、容易に修理が可能となる。
【００５０】
又、図１０、図１１及び図１２に示すように、前記各ソーラーパネル１の裏面には反射板１０を設けることができる。
この反射板１０は、昼間には板面を太陽の方向に向けたソーラーパネル１に太陽の直射日光が当たり、その光線が反射されてその南側にあるソーラーパネル１の裏面の反射板１０に当たり、更に反射されて各ソーラーパネル１の下方にある植物Ｐに太陽の光が照射される。この結果、栽培植物の光合成が活発となり良好な生育が可能となる。
【００５１】
又、図１２に示すように、各ソーラーパネル１間に前記緯線軸３にＬＥＤランプ等の照明具１１を下方に向けて設けることもできる。
この形態では夜間には各ソーラーパネル１の下方にある植物Ｐに照明具１１からの光が照射され、各ソーラーパネル１間が開かれて得られる日照時間と合わせて植物Ｐが受ける光の量を夜間において調節することで植物Ｐを良好に栽培することが可能となる。
【００５２】
次に植物の具体的な栽培例で説明する。
図１０、図１１及び図１２は、上の植物Ｐが葡萄であり、下の鉢植え植物Ｐが蘭を栽培する２段栽培の場合を示す。この場合、樹高の高い葡萄の栽培では各ソーラーパネル１は支持体２により該葡萄の樹高よりも高く支持する。
葡萄は反射板からの太陽光を充分に受けて春から新芽が出て夏場に大きく育った葉の光合成で実が大きく育つ。収穫後の冬場は葉を落とす。
一方、蘭は暑い夏場では生育が不活発となり冬から春の寒い時期に花が咲く。
このため、夏場の太陽の直射日光が葡萄の葉で遮られ、蘭にとって好ましい日陰状態で栽培できる。
そして、夜間は水平にされた各ソーラーパネル１により遮蔽された屋根面でハウス内の温度が低下するのを防いて温度を外気よりも高く保ち、且つ照明具１１による光の強さや照射する時間を調節することによって葡萄や蘭の市場への出荷調節を行うことが可能となる。
このように、２種類の異なる品種を同時に栽培できるので土地のより有効な活用が可能となる。
【００５３】
なお、太陽の方向に向いた各ソーラーパネル１で効率良く得られた電力はそのまま電力会社に売電したり、蓄電池に貯えて前記照明具１１の電源としても使用することも可能である。又、第１の回動操作手段７及び第２の回動操作手段９にモータ２２を用いる場合にはその電源として利用することも可能となる。
【産業上の利用可能性】
【００５４】
本考案は、設置する土地は農地に限定するものではなく、本考案が設置可能な面積あればどのような土地でも良い。又、ソーラーパネルの下側に栽培する植物は種類を限定するものではなく果実、野菜など各種植物の栽培が可能である。
【符号の説明】
【００５５】
１  ソーラーパネル
１ａ  ソーラーパネルの枠側部
２  支持体
３  緯線軸
４  経線軸
４ａ  大径の筒体
４ｂ  小径の筒体
４ｃ  経線軸の先端部
５  直交接続金具
５ａ  緯線軸側のクランプ部
５ｂ  経線軸側のクランプ部
６  第１の回動機構
７  第１の回動操作手段
８  第２の回動機構
９  第２の回動操作手段
１０  反射板
１１  照明具
１２  回転軸受け部
１２ａ  ベアリング軸受け
１２ｂ  スベリ軸受け管
１３  回転軸受け部
１３ａ  スベリ軸受け管
１３ｂ  中央固定管
１３ｃ  スベリ軸受け管
１４  クランク溝
１５  係止ピン
１６  ワイヤー
１７  ダブル滑車
１７ａ  滑車
１７ｂ  滑車
１８  ワイヤー
１９  ダブル滑車
１９ａ  滑車
１９ｂ  滑車
２０  巻送りドラム
２１  ハンドル
２２  モータ
２３  枢支部
２４  ボルト
２５  凹部
２６  ナット
２７  クランプ
２８  ボルト
２９  凹部
３０  ナット
３１  パネル取付けプレート
３１ａ  パネル固定部
３１ｂ  連結部
３２  パネル枠
３３  Ｕ字形ボルト
３４  押圧部
３５  ナット
３６  パネル枠
３７  Ｕ字形ボルト
３８  ナット
３９  押えプレート
４０  固定板
４１  パネル枠
４２  ボルト
４３  凹部
４４  ナット
４５  枢支ピン
４６  横支持パイプ
４７  交差クランプ
４８  取付基盤
４９  滑車固定パイプ
Ｐ  植物
Ｘ  緯線軸の中心軸線
Ｙ  経線軸の中心軸線
【図１】
0003189168.tif 000003
【図２】
0003189168.tif 000004
【図３】
0003189168.tif 000005
【図４】
0003189168.tif 000006
【図５】
0003189168.tif 000007
【図６】
0003189168.tif 000008
【図７】
0003189168.tif 000009
【図８】
0003189168.tif 000010
【図９】
0003189168.tif 000011
【図１０】
0003189168.tif 000012
【図１１】
0003189168.tif 000013
【図１２】
0003189168.tif 000014